(57)【特許請求の範囲】
【請求項１】
玄関子機と通信可能に構成されるとともに、居室内に設置される居室親機と、
前記居室内において前記居室親機と通信可能な第一通信端末と、
通信ネットワークを介して前記第一通信端末と通信可能な第二通信端末と、を備え、
前記第一通信端末は、
前記第二通信端末から前記通信ネットワークを介して送信された情報を受信する第一受信部と、
受信した前記情報の送信者が予め登録された登録者であるか否かを判断する判断部と、
前記判断部が前記送信者と前記登録者とが一致すると判断した場合、前記情報を前記居室親機へ送信する送信部と、
を有し、
前記居室親機は、
報知部と、
前記送信部から送信された前記情報を受信する第二受信部と、
前記第二受信部が前記情報を受信したことを前記報知部に報知させる報知制御部と、
を有する、
インターホンシステム。
【請求項２】
前記報知部は、音を出力可能な出力部を有し、
前記報知制御部は、前記情報を受信したとき所定の受信音を前記出力部に出力させる、請求項１に記載のインターホンシステム。
【請求項３】
前記報知部は、表示画面を含む表示部を有し、
前記報知制御部は、前記第二受信部が前記情報を受信したとき、前記情報に含まれるメッセージを前記表示部に表示させる、請求項１または請求項２に記載のインターホンシステム。
【請求項４】
前記報知制御部は、前記メッセージに所定の文字が含まれる場合、前記所定の文字に対応するアイコンを前記表示部に表示させる、請求項３に記載のインターホンシステム。
【請求項５】
前記報知制御部は、前記メッセージに所定の文字が含まれる場合、前記所定の文字に対応する受信音を前記出力部に出力させる、請求項３または請求項４に記載のインターホンシステム。
【請求項６】
前記第一通信端末は、前記情報を受信した前記居室親機が居住者によって操作された場合、前記情報の受信が確認されたことを前記第二通信端末に通知する通知部を有する、請求項１から請求項５のいずれか一項に記載のインターホンシステム。
【発明の詳細な説明】
【技術分野】
【０００１】
本発明は、インターホンシステムに関するものである。
【背景技術】
【０００２】
近年、核家族化が進み、高齢者のみで暮らす世帯数は増加する一方である。例えば親と別居する子供の中には、高齢者になった親に、スマートフォンやタブレット等の携帯型通信情報端末をプレゼントして、親とのコミュニケーションを図る者もいる。携帯型通信情報端末であれば、通話だけでなく写真付きのＥメール（以下、メールと称する）等を送ったりすることができて便利である。
【先行技術文献】
【特許文献】
【０００３】
【特許文献１】特開２００５−０３８３６５号公報
【発明の概要】
【発明が解決しようとする課題】
【０００４】
しかし、高齢者の中には、スマートフォンやタブレット等の新しいデバイスの操作に慣れるのが苦手で、新しいデバイスを触ること自体を敬遠してしまう人も少なくない。また、新しいデバイスの操作に不慣れな高齢者は、日常的にデバイスを使わないため、デバイスを紛失したりその保管場所を失念してしまったりする場合がある。このような場合、子供が親に用事があってメールをしたとしても、親がメールの受信に気づくのが大幅に遅れてしまったり、または、メールの受信に気づかないこともある。
【０００５】
そこで、本発明は、他者からの連絡に対して気づきやすさを向上させることが可能なインターホンシステムを提供することを目的とする。
【課題を解決するための手段】
【０００６】
上記目的を達成するために、本発明のインターホンシステムは、
玄関子機と通信可能に構成されるとともに、居室内に設置される居室親機と、
前記居室内において前記居室親機と通信可能な第一通信端末と、
通信ネットワークを介して前記第一通信端末と通信可能な第二通信端末と、を備え、
前記第一通信端末は、
前記第二通信端末から前記通信ネットワークを介して送信された情報を受信する第一受信部と、
受信した前記情報の送信者が予め登録された登録者であるか否かを判断する判断部と、
前記判断部が前記送信者と前記登録者とが一致すると判断した場合、前記情報を前記前記居室親機へ送信する送信部と、を有し、
前記居室親機は、
報知部と、
前記送信部から送信された前記情報を受信する第二受信部と、
前記第二受信部が前記情報を受信したことを前記報知部に報知させる報知制御部と、を有する。
【０００７】
この構成によれば、予め登録された登録者の第二通信端末から情報（呼出信号やメール等）が第一通信端末に送信されてきた場合、居室内にいる居住者は、居室親機の報知機能によって情報の着信に気づくことができる。このように、上記構成によれば、他者からの連絡に対する居住者の気づきやすさを向上させることができる。
【０００８】
また、本発明のインターホンシステムにおいて、
前記報知部は、音を出力可能な出力部を有し、
前記報知制御部は、前記情報を受信したとき所定の受信音を前記出力部に出力させても良い。
【０００９】
この構成によれば、日常的に使用されることが多い居室親機から音が出力されて着信が報知されるため、第二通信端末から送信された情報に対する居住者の気づきやすさをさらに向上させることができる。
【００１０】
また、本発明のインターホンシステムにおいて、
前記報知部は、表示画面を含む表示部を有し、
前記報知制御部は、前記第二受信部が前記情報を受信したとき、前記情報に含まれるメッセージを前記表示部に表示させても良い。
【００１１】
この構成によれば、居室親機の表示部にメッセージが表示されるので、居住者は、第二通信端末から送信された情報の着信に対して気づきやすくなるとともに、その情報の内容を居室親機によって確認することができる。
【００１２】
また、本発明のインターホンシステムにおいて、
前記報知制御部は、前記メッセージに所定の文字が含まれる場合、前記所定の文字に対応するアイコンを前記表示部に表示させても良い。
【００１３】
この構成によれば、居住者は、居室親機の表示部に表示されたアイコンからメッセージの内容をイメージすることができる。このため、居住者は、第二通信端末から送信された情報の内容を確認しやすくなる。
【００１４】
また、本発明のインターホンシステムにおいて、
前記報知制御部は、前記メッセージに所定の文字が含まれる場合、前記所定の文字に対応する受信音を前記出力部に出力させても良い。
【００１５】
この構成によれば、所定の文字に対応して注意喚起力の高い音を出力することにより、送信された情報に対する居住者の気づきやすさをさらに向上させることができる。
【００１６】
また、本発明のインターホンシステムにおいて、
前記第一通信端末は、前記情報を受信した前記居室親機が居住者によって操作された場合、前記情報の受信が確認されたことを前記第二通信端末に通知する通知部を有しても良い。
【００１７】
この構成によれば、居住者が情報を受信した旨が情報の送信側に通知されるので、送信者は居住者が情報の受信に気づいたことを確認できて安心できる。
【発明の効果】
【００１８】
本発明のインターホンシステムによれば、他者からの連絡に対して気づきやすさを向上させることができる。
【図面の簡単な説明】
【００１９】
【図１】本発明の実施形態に係るインターホンシステムの構成図である。
【図２】インターホンシステムの機能ブロック図である。
【図３】第一携帯端末における携帯端末アプリケーションの機能ブロック図である。
【図４】居室親機における居室親機アプリケーションの機能ブロック図である。
【図５】居室親機に表示されるメッセージの一例を示す図である。
【図６】居室親機に表示されるメッセージの別の一例を示す図である。
【発明を実施するための形態】
【００２０】
以下、本実施形態の一例について、図面を参照して詳細に説明する。
【００２１】
図１及び図２に示すように、インターホンシステム１は、居室親機１０と、第一携帯型情報通信端末２０（以下、第一携帯端末２０と称する）と、第二携帯型情報通信端末３０（以下、第二携帯端末３０と称する）とを備えている。
【００２２】
居室親機１０は、マンション等の集合住宅や一戸建て住宅などの住戸Ｊの居室内に設置されている。居室親機１０は、第一携帯端末２０及び玄関子機４０と通信可能に構成されている。居室親機１０は、報知部１１と、居室親機アプリケーション１２と、居室親機記録部１３と、居室親機ＣＰＵ１４と、居室親機通信部１５と、居室親機入出力インターフェース１６とを備えている。
【００２３】
報知部１１には、例えば居室親機表示部（表示部の一例）１１ａ、居室親機スピーカ（出力部の一例）１１ｂ等が含まれる。居室親機表示部１１ａと居室親機スピーカ１１ｂは、居室親機ＣＰＵ１４に接続されている。居室親機表示部１１ａは、例えばタッチパネル式の表示画面で構成されている。居室親機表示部１１ａは、居室親機ＣＰＵ１４の制御信号に基づいて、第一携帯端末２０から送信された情報を例えばメッセージ、絵柄等として表示画面に表示する。居室親機スピーカ１１ｂは、居室親機ＣＰＵ１４の制御信号に基づいて、第一携帯端末２０から送信された呼出信号やメール等を受信した旨を示す音を出力する。
【００２４】
居室親機アプリケーション１２には、居室親機１０の各処理を行うための複数種のアプリケーションが格納されている。例えば、第一携帯端末２０から送信されてきた情報の報知形態を決定するための専用アプリケーションが格納されている。居室親機アプリケーション１２は、居室親機ＣＰＵ１４に接続されている。居室親機ＣＰＵ１４は、居室親機アプリケーション１２に格納されているアプリケーションに基づいて、居室親機１０の各部の動作を制御する。
【００２５】
また、居室親機ＣＰＵ１４には、居室親機通信部１５と居室親機入出力インターフェース１６が接続されている。居室親機通信部１５は、無線通信が可能な例えばWi-Fi（Wireless Fidelity）、Bluetooth（登録商標）等で構成されている。居室親機通信部（第二受信部の一例）１５は、無線通信で第一携帯端末２０から送信される情報を受信する。また、居室親機通信部１５は、情報が居室親機１０側で確認されたことを知らせる受信確認信号を第一携帯端末２０へ無線通信により送信する。居室親機入出力インターフェース１６は、居室親機１０と玄関子機４０との間における例えば音声信号や映像信号等の送受信を行う。
【００２６】
居室親機記録部１３には、第一携帯端末２０から送信された情報、情報を受信したことを知らせるための受信音、情報が送信されたことを知らせるための通知文章、送信された情報のうちの特定の情報に対応させた絵柄等の各種データが記録されている。
【００２７】
第一携帯端末２０は、住戸Ｊの例えば居住者Ｐによって所有される例えばスマートフォン（スマホ）、タブレット、携帯電話等の情報通信が可能な端末である。第一携帯端末２０は、携帯端末マイク２１と、携帯端末スピーカ２２と、携帯端末操作部２３と、携帯端末表示部２４と、携帯端末アプリケーション２５と、携帯端末記録部２６と、携帯端末ＣＰＵ２７と、携帯端末入出力インターフェース２８と、携帯端末通信部２９とを備えている。
【００２８】
携帯端末マイク２１及び携帯端末スピーカ２２は、第一携帯端末２０の所有者が他の携帯端末や固定電話等との間で通話をする際に、音声を入出力する。携帯端末操作部２３は、第一携帯端末２０の所有者によって各種操作される。携帯端末表示部２４は、例えばタッチパネルで構成されており各種の情報が表示される。携帯端末マイク２１、携帯端末スピーカ２２、携帯端末操作部２３及び携帯端末表示部２４は、携帯端末ＣＰＵ２７に接続されている。
【００２９】
携帯端末アプリケーション２５には、第一携帯端末２０の各処理を行うための複数種のアプリケーションが格納されている。例えば、第一携帯端末２０が受信した情報を居室親機１０に対して送信するか否かを判断するための専用アプリケーションが格納されている。携帯端末アプリケーション２５は、携帯端末ＣＰＵ２７に接続されている。携帯端末ＣＰＵ２７は、携帯端末アプリケーション２５に格納されているアプリケーションに基づいて、第一携帯端末２０の各部の動作を制御する。
【００３０】
また、携帯端末ＣＰＵ２７には、携帯端末入出力インターフェース２８と携帯端末通信部２９が接続されている。携帯端末入出力インターフェース２８は、インターネット等の通信ネットワークＮに接続可能であり、通信ネットワークＮを介した通信が可能とされている。例えば、携帯端末入出力インターフェース（第一受信部の一例）２８は、第二携帯端末３０から通信ネットワークＮを介して送信されたメール等の情報を受信する。また、携帯端末入出力インターフェース（通知部の一例）２８は、居室親機１０から送信された情報（受信確認信号）を通信ネットワークＮを介して第二携帯端末３０へ送信する。
【００３１】
携帯端末通信部２９は、無線通信が可能な例えばWi-Fi、Bluetooth（登録商標）等で構成されている。携帯端末通信部（送信部の一例）２９は、第二携帯端末３０から取得した情報を居室親機１０へ無線通信により送信する。また、携帯端末通信部２９は、無線通信で居室親機１０から送信された情報（受信確認信号）を受信する。
【００３２】
携帯端末記録部２６には、登録者の端末特定情報（例えばメールアドレス、電話番号等）、通信ネットワークＮを介して他の携帯端末から送信されてきた情報、無線通信で居室親機１０から送信されてきた受信確認情報等が記録されている。登録者から送信されてきた情報とその情報に対する受信確認の情報とは関連付けて記録されている。
【００３３】
第二携帯端末３０は、住戸Ｊの居住者Ｐ以外の人物（例えば人物Ｓ）によって所有される例えばスマートフォン（スマホ）、タブレット、携帯電話等の情報通信が可能な端末である。第二携帯端末３０は、携帯端末マイク３１と、携帯端末スピーカ３２と、携帯端末操作部３３と、携帯端末表示部３４と、携帯端末アプリケーション３５と、携帯端末ＣＰＵ３７と、携帯端末入出力インターフェース３８とを備えている。
【００３４】
第二携帯端末３０における３１〜３５の各部は、第一携帯端末２０における２１〜２５の各部とそれぞれ同様の機能を有し、３７〜３８の各部は、２７〜２８の各部とそれぞれ同様の機能を有する。ただし、第二携帯端末３０は、居室親機１０に対して情報を送信するか否かを判断するための専用アプリケーションを携帯端末アプリケーション３５に格納（インストール）していなくても良い。
【００３５】
次に、第一携帯端末２０の携帯端末アプリケーション２５に格納されている専用アプリケーションについて、図３を参照して説明する。
図３に示すように、専用アプリケーション５０は、判断部５１を備えている。判断部５１は、第一携帯端末２０が受信した情報の送信者が予め登録されている者であるか否かを判断する。この判断は、受信した情報に含まれている例えばメールアドレス、電話番号等の端末特定情報に基づいて行われる。
【００３６】
次に、居室親機１０の居室親機アプリケーション１２に格納されている専用アプリケーションについて、図４を参照して説明する。
図４に示すように、専用アプリケーション６０は、キーワード検索部６１と、報知方法決定部６２とを備えている。キーワード検索部６１は、第一携帯端末２０から送信されてきた情報の中に所定の情報（例えば、所定の単語等）が含まれているか否かを検索する。報知方法決定部６２は、キーワード検索部６１の検索結果を参照して、報知部１１における情報の報知形態を決定する。例えば、メッセージ、絵柄、呼出音等を用いてどのような形態で報知するかを決定する。
【００３７】
次に、上記構成のインターホンシステム１における動作パターン例を説明する。
【００３８】
（基本条件）
１）居住者の家族構成
母親（70歳）Ｐ：住戸Ｊに一人暮らし
息子（40歳）Ｓ：独立して母親Ｐとは別暮らし（図１参照）
２）携帯端末の所有
第一携帯端末（本例ではスマホ）２０の所有：母親Ｐ
第二携帯端末（本例ではスマホ）３０の所有：息子Ｓ
３）スマホ２０に登録されている者
息子Ｓ：スマホ３０の端末特定情報
【００３９】
＜動作パターン１＞
住戸Ｊに居る母親Ｐに対して、息子Ｓが「８時３０分に薬を飲みなさい」というメッセージを含むメールを息子Ｓのスマホ３０から通信ネットワークＮを介して送信する。
【００４０】
住戸Ｊの居室内に置かれている母親Ｐのスマホ２０は、息子Ｓからのメールを受信する。母親Ｐのスマホ２０の携帯端末ＣＰＵ２７は、専用アプリケーション５０に基づいて、母親Ｐのスマホ２０が受信したメールの送信者が予め登録されている者であるか否かを判断する。本例では、メールを送信しているのは息子Ｓであり、息子Ｓのスマホ３０の端末特定情報は、母親Ｐのスマホ２０に予め登録されているので、メールの送信者は登録者であると判断される。
【００４１】
登録者であると判断された場合、携帯端末ＣＰＵ２７は、息子Ｓからメールを受信した旨を示す受信信号を無線通信により携帯端末通信部２９から居室親機１０へ送信する。なお、受信されたメールの内容は、携帯端末記録部２６に記録される。
【００４２】
居室親機１０の居室親機ＣＰＵ１４は、母親Ｐのスマホ２０からの受信信号を受信すると、図５に示すように、母親Ｐのスマホ２０にメールが受信されたことを知らせるための報知音７１ａを居室親機スピーカ１１ｂから出力させる。例えば、鈴の音「キンコン」等の呼出音、「メールが来ました」等の音声を受信音として出力させる。また、居室親機ＣＰＵ１４は、メールが受信されたことを知らせるためのお知らせ文章７２ａを居室親機表示部１１ａに表示させる。例えば、「スマホに息子Ｓさんからメールが届いています」等の文章を表示させる。
【００４３】
報知音７１ａやお知らせ文章７２ａに気付いた母親Ｐが居室親機表示部１１ａに表示された受信確認ボタン７３をタッチ操作すると、報知音７１ａの出力が停止される。このタッチ操作に基づいて、居室親機１０は、メールの受信が確認されたことを示す受信確認信号を母親Ｐのスマホ２０へ無線により送信する。すると、母親Ｐのスマホ２０は、メールの受信が確認された旨を、通信ネットワークＮを介して息子Ｓのスマホ３０へ例えばメールで送信する。
【００４４】
以上説明した本実施形態のインターホンシステム１によれば、息子Ｓの端末特定情報を母親Ｐのスマホ２０に予め登録しておくことにより、息子Ｓがスマホ３０で母親Ｐのスマホ２０にメールを送信すると、息子Ｓからメールが届いた旨が居室親機１０から報知される。居室親機１０は、常に電源がオンされており、母親Ｐが毎日生活している住戸Ｊの目立つ場所（例えばリビング等）に設置されていて、その存在位置も明確である。このように、居室親機の利便性を利用した本システムによれば、母親Ｐは、息子Ｓからのメールの着信に容易に気付くことができる。
【００４５】
また、メールが届いたことは、居室親機１０から出力される呼出音等によって報知される。居室親機１０（インターホン）の呼出音は、母親Ｐが日常的に聞く音である。このため、母親Ｐは、日ごろ使用していないスマホ２０から出力される音よりも居室親機１０から出力される音の方が気付きやすい。
【００４６】
また、メールが届いたことを知らせるお知らせ文章７２ａは、居室親機１０の居室親機表示部１１ａに表示される。居室親機１０の表示部は、通常のスマホの表示部よりも大きく形成されているので、高齢の母親Ｐであっても表示された文章の内容を確認しやすい。
【００４７】
また、メールが届いた旨のお知らせ文章７２ａ及び報知音７１ａは、居室親機１０で見たり聞いたりすることができる。このため、母親Ｐは、スマホ２０を操作しなくてもスマホ２０にメールが届いたことに気付くことが可能である。そして、居室親機１０（インターホン）は、母親Ｐが日常的に使用している機器であるため、スマホ２０の操作に不慣れであっても、居室親機１０に対しては抵抗なくその操作を行うことができる。
【００４８】
ところで、メールを受信した旨を表示部等で報知するために、例えば、居室親機１０自体にメールを直接受信できる機能を設ける構成とすることも可能である。しかし、居室親機１０にメール受信機能を設ける場合、居室親機の新たな設計が必要となりコストが増加する。これに対して、本形態の構成では、居室親機１０に無線通信機能を持たせるとともに、専用アプリケーション５０を作成してそれを母親Ｐのスマホ２０にインストールすればよく、その開発費及び設備費の増加を抑えることができる。
【００４９】
また、居室親機１０には、登録者から送信された情報だけが報知されるので、母親Ｐには、不要な情報の着信は報知されない。
また、母親Ｐがメールの受信に気付いて受信確認ボタン７３をタッチ操作すると、息子Ｓのスマホ３０に確認した旨のメールが届くように構成されているので、息子Ｓは母親Ｐがメールに気付いたことを確認できて安心である。確認した旨のメールは、受信確認ボタン７３のタッチ操作に基づいて自動で送信されるので、母親Ｐがスマホ２０を操作する必要が無く便利である。
【００５０】
＜動作パターン２＞
息子Ｓのスマホ３０から母親Ｐのスマホ２０にメールが送信され、そのことを居室親機１０へ送信する決定がされるまでの動作は、上記動作パターン１と同様である。
【００５１】
続いて、携帯端末ＣＰＵ２７は、息子Ｓのスマホ３０から受信されたメールを無線通信により携帯端末通信部２９から居室親機１０へ送信させる。なお、受信されたメールの内容は、携帯端末記録部２６に記録される。
【００５２】
居室親機ＣＰＵ１４は、スマホ２０からのメールを受信すると、専用アプリケーション６０に基づいて、送信されてきたメールの中に所定の単語等が含まれているか否か検索する。そして、居室親機ＣＰＵ１４は、検索結果に基づいて居室親機スピーカ１１ｂから出力する報知音の種類を決定し、図６に示すように、決定した報知音７１ｂを居室親機スピーカ１１ｂから出力させる。例えば、緊急性を要する単語がメールの中に含まれている場合には、注意喚起力の高い報知音を居室親機スピーカ１１ｂから出力させる。なお、報知音の音量を変化させることで注意喚起力を高めるようにしても良い。報知音は、居室親機１０への確認操作があるまで定期的に出力し続けても良い。
【００５３】
また、居室親機ＣＰＵ１４は、図６に示すように、受信されたメールの内容をメッセージ７２ｂとして居室親機表示部１１ａに表示させる。例えば、「８：３０分に薬を飲んでください」等のメッセージ７２ｂを表示させる。なお、居室親機表示部１１ａには、メールの送信者の名前７２ｃをメッセージに並記しても良い。また、表示するメッセージは、メールの文章を短文化したものであっても良い。居室親機表示部１１ａの表示画面は、居室親機１０への受信確認操作があるまで、スリープモードに移行せずに、メッセージが表示された状態で維持させても良い。
【００５４】
また、居室親機ＣＰＵ１４は、所定の単語がメールの中に含まれている場合、含まれている単語に対応するアイコンをメッセージ７２ｂに追加して表示させる。例えば、メールの中に「薬」という単語が含まれている場合には、図６に示すように、薬のアイコン７２ｄをメッセージ７２ｂに追加して表示する。この他に、例えば「至急」、「荷物送付」等の単語がメールに含まれている場合には、それぞれ対応するアイコンを表示しても良い。
【００５５】
なお、その後にメールの受信が確認されたことが息子Ｓのスマホ３０へ送信される動作は、上記動作パターン１と同様である。
【００５６】
このような本実施形態のインターホンシステム１によれば、送信されてきたメールに、例えば「至急」等の文字が含まれていた場合、注意喚起力の高い音が居室親機スピーカ１１ｂから出力されるので、大切なメールが届いたことを母親Ｐに気付かせやすい。また、息子Ｓ（登録者）のメールと受信確認の有無とは関連付けて携帯端末記録部２６に記録されているので、スマホ２０の携帯端末ＣＰＵ２７は、母親Ｐによる確認操作があるまで報知音を定期的に出力させる処理を管理できる。
【００５７】
また、メールに含まれるメッセージが居室親機１０の居室親機表示部１１ａに表示されるので、母親Ｐは、スマホ２０を操作しなくてもメールの内容を居室親機１０で容易に確認することができる。また、メールの内容を短文化して表示させることができるため、居室親機表示部１１ａの限られた表示エリアを有効に活用することができる。また、送信されてきたメールに、例えば「緊急」等の文字が含まれていた場合、目立つアイコンを居室親機表示部１１ａに表示させることで母親Ｐの注意を喚起させるとともにメールの内容を分かり易くすることができる。
【００５８】
また、本形態では、上記動作パターン１の構成に加えて、居室親機１０に専用アプリケーション６０をインストールしておくだけで良いため、コストが増加するのを抑えることができる。
【００５９】
＜動作パターン３＞
母親Ｐがスマホ２０を携帯していて外出から住戸Ｊに帰宅した場合（かつスマホ２０に息子Ｓからメールが届いていることに気づいていない場合）には以下のような動作になる。
母親Ｐが住戸Ｊ内に戻った時点で、上記動作パターン１と同様にして、スマホ２０から居室親機１０への無線通信が自動的に開始される。そして、上記動作パターン１，２と同様にして、居室親機１０の居室親機スピーカ１１ｂ及び居室親機表示部１１ａから音やメッセージ等が報知される。この構成の場合にも、上記動作パターン１，２と同様の効果を奏する。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６１】
例えば、キーワード検索部による所定の単語の検索処理及び報知方法決定部による報知形態の決定処理は、第一携帯端末２０で行うようにしても良い。
また、例えば、第一携帯端末２０に送信されて居室親機１０の報知部１１に報知される情報は、音声によるメッセージや動画等であっても良い。
【００６２】
また、上記の例では、スマートフォン等の携帯型情報通信端末を例に説明をしたが、通信端末の例はこれに限られず、卓上型のパーソナルコンピュータ等であっても良い。
【符号の説明】
【００６３】
１：インターホンシステム、１０：居室親機、１１：報知部、１１ａ：居室親機表示部（表示部の一例）、１１ｂ：居室親機スピーカ（出力部の一例）、１２：居室親機アプリケーション、１４：居室親機ＣＰＵ、１５：居室親機通信部（第二受信部の一例）、２０：第一携帯型情報通信端末、２５：携帯端末アプリケーション、２７：携帯端末ＣＰＵ、２８：携帯端末入出力インターフェース（第一受信部の一例，通知部の一例）、２９：携帯端末通信部（送信部の一例）、３０：第二携帯型情報通信端末、５１：判断部、６１：キーワード検索部、Ｎ：通信ネットワーク
【図１】
0006335824.tif 000002
【図２】
0006335824.tif 000003
【図３】
0006335824.tif 000004
【図４】
0006335824.tif 000005
【図５】
0006335824.tif 000006
【図６】
0006335824.tif 000007